(57)【要約】  注射可能な物質を注射するための注射装置であって、内側に面する壁を有し、壁は、そこに形成された複数のリブを有するハウジングと、リブは、その間に伸長するチャネルの形を定め、ハウジング内に据え付け可能であり、チャネル内で係合可能な少なくとも１つの突起を有するプランジャーロッドと、注射可能な物質を含むバイアルと、ハウジングの遠位端に据え付けられているばねと、ばねは、遠位端と針ハブとの間でバイアスをかけられ、プランジャーロッドからのプッシャーロッドの上の圧力が、プッシャーロッドに、注射可能な物質を注射のための中空針へと押させるように高められたプッシャーロッドとを備え、ばねを針ハブ上で機能させ、針がハウジング内の閉じたポジションにあり、再使用できないように、圧力は、針ハブとバイアルをハウジング内の上方に移動させる。【選択図】図２ａ
2020524053.tif 000002
【特許請求の範囲】
【請求項１】
注射可能な物質を注射するための注射装置であって、
ハウジングと、前記ハウジングは、内側に面する壁を有し、前記壁は、そこに形成された複数のリブを有し、前記リブは、その間に伸長するチャネルの形を定め、
前記ハウジング内に据え付け可能なプランジャーロッドと、前記プランジャーロッドは、そこから外側に伸長する少なくとも１つの突起を有し、
前記注射可能な物質を含むバイアルと、前記バイアルは、そこから外側に伸長する少なくとも１つの突起を有し、
針ハブおよびそこに結合されている中空針と、
前記ハウジングの遠位端に据え付けられているばねと、前記ばねは、前記ハウジングの遠位端と前記針ハブとの間でバイアスをかけられ、
前記プランジャーロッド内に据え付けられているプッシャーロッドと、を備え、前記プッシャーロッドは、前記プランジャーロッド上の圧力が前記プッシャーロッドに、注射のために前記注射可能な物質を前記バイアルから前記中空針へと押させるように構成され、前記プランジャーロッドはその遠位端に弓形面を有し、前記バイアルから外側に伸長する前記突起は、前記バイアルの回転をもたらすように前記弓形面に接触し、前記ばねが前記バイアルを前記ハウジング内で上方に動かすことを可能にする、注射装置。
【請求項２】
前記ハウジングと前記プランジャーロッドは、円形型を有している、請求項１に記載の注射装置。
【請求項３】
前記注射可能な物質は、固形物質と半固形物質からなるグループから選択される、請求項１に記載の注射装置。
【請求項４】
前記針ハブは、所望のポイントで前記バイアルの回転を停止するための上方に伸長する突起を有する、請求項１に記載の注射装置。
【請求項５】
前記注射装置は、プラスチック素材から形成される、請求項１に記載の注射装置。
【請求項６】
前記ハウジングと前記バイアルの部分は、前記注射可能な物質は視覚的にアクセス可能であるように透明素材から形成される、請求項１に記載の注射装置。
【請求項７】
前記プランジャーロッド上の前記突起は、その上に形成された概してＬ字型のフランジを含む、請求項１に記載の注射装置。
【発明の詳細な説明】
【発明の分野】
【０００１】
本発明は、注射装置に関し、より具体的には、哺乳類を治療するために薬を投薬するように設計された注射装置に関する。
【発明の背景】
【０００２】
さまざまなタイプの注射装置が技術的によく知られている。注射装置の目的は、液体を固形または半固形基質に注射するように設計されている多くの注射装置を含めてさまざまである。本発明は、特に、哺乳動物に薬を注射するための注射装置に関する。このような注射装置は、広く知られており、単純なシリンジから１つ以上のエンドポイントに達するように設計されてもよい複雑な注射装置までさまざまである。
【発明の概要】
【０００３】
本発明にしたがうと、注射可能な物質を注射するための注射装置が提供され、前記注射装置は、ハウジングと、前記ハウジングは、内側に面する壁を有し、前記壁は、そこに形成された複数のリブを有し、前記リブは、その間に伸長するチャネル（channel）の形を定め、前記ハウジング内に据え付け可能なプランジャーロッドと、前記プランジャーロッドは、そこから外側に伸長する少なくとも１つの突起を有し、前記注射可能な物質を含むバイアル（vial）と、前記バイアルは、そこから外側に伸長する少なくとも１つの突起を有し、針ハブおよびそこに結合されている中空針と、前記ハウジングの遠位端に据え付けられているばねと、前記ばねは、前記ハウジングの遠位端と前記針ハブとの間でバイアスをかけられ、前記プランジャーロッド内に据え付けられているプッシャーロッドと、を備え、前記プッシャーロッドは、前記プランジャーロッド上の圧力が前記プッシャーロッドに、注射のために前記注射可能な物質を前記バイアルから前記中空針へと押させるように構成され、前記プランジャーロッドはその遠位端に弓形面を有し、前記バイアルから外側に伸長する前記突起は、前記バイアルの回転をもたらすように前記弓形面に接触し、前記ばねが前記バイアルを前記ハウジング内で上方に動かすことを可能にする。
【０００４】
上述したように、注射装置は、液体を哺乳類に注射するために利用されることができる。本用途では、好ましい素材は、固形または半固形薬であり、これは、注射装置の一部分を形成するバイアル中に格納される。
【０００５】
好ましくは、本発明の注射装置は、装置がパッケージングから取り除かれ、「そのまま」利用され、薬で治療される必要がある患者に注射できるように、針が針ハブにすでに取り付けられて、すぐに使えるアイテムとしてパッケージ化されている。注射の後、針と関係付けられているコンポーネントとは、ハウジング内に引っ張られることから、針が突き出るおよびこれらに類するものは生じ得ない。装置は、使い捨てタイプで設計され、装置の構造は、同じものの再使用を回避する。
【０００６】
ここで使用するように、用語「遠位端」は注射するために使用される端、すなわち、針端を意味し、用語「近位端」は、注射を管理する人によって握られる端を指す。
【０００７】
上記で述べたように、本発明の注射装置は、任意の注射可能な物質を注射するために使用できる。注射可能な物質は、哺乳類を治療するための薬の形態であってもよいが、本発明の装置は、他の目的のために等しく利用できる。好ましい実施形態において、装置は、物質を哺乳類に注射する。特に好ましい実施形態において、注射可能な物質は、固形または半固形状態である。
【０００８】
装置は、内側に面する壁を有するハウジングと、ハウジング内で動くことができるプランジャーロッドを含むだろう。プランジャーロッドは、リブが進む１つ以上のチャネルを形成する、リブによって決定されるであろう予め定められた進路で動くだろう。
【０００９】
ハウジングは好ましくはプラスチック素材から形成されることから、リブは、好ましくは、成形動作の間に形成される。リブは、プランジャーロッド上の突起が動くチャネルの形を定める幅を有するだろう。好ましい実施形態において、本発明のコンポーネントは、２つの面を持つ、すなわち、ハウジングの各側は、形を定められたそのチャネル構成を有し、ハウジングの各側は駆動する内部コンポーネントを同じ所定の方向に向けるように設計されていることを理解すべきである。
【００１０】
本発明は、上記で説明したチャネル中を進むように設計されている１つ以上の突起を有する、プランジャーロッドを含むだろう。
【００１１】
装置は、注射可能な物質を含むバイアルも含んでいる。バイアルは、プランジャーロッドによって所定の方向に駆動される注射可能な物質を有しており、これは、プランジャーロッドに関係付けられ、それとともに動く。プランジャーロッドの遠位端に位置付けられているのは、注射のための針を含む針ハブである。好ましくは、バイアルは、針ハブ上に設置し、これに関して回転可能である。回転可能運動は、回転可能運動をそこに伝えるためにハウジング中に形成されている弓形壁に接触する突起の使用を通して、最初にバイアルに伝えられる。この回転運動により、ハウジング内に据え付けられたバイアスをかけられているばねを用いて針ハブとバイアルを上方に駆動させることができる。いったんプッシャーロッドが注射可能な物質を針に、その後、患者または哺乳類に押すと、必然的に、この戻り運動が生じる。
【００１２】
上記で言及したように、注射液のしゃ出の後、針ハブとバイアルは、ハウジング中のチャネルと並び、ばねは、ハウジング内の（針を含む）コンポーネントを駆動するように機能でき、針の更なる使用を回避する。
【図面の簡単な説明】
【００１３】
本発明をおおまかに説明してきたが、その実施形態を図示する添付の図面を参照する。
【図１】図１は、組み立てられた注射装置の斜視図である。
【図２ａ】図２ａは、注射装置の分解組立図である。
【図２ｂ】図２ｂは、ハウジングの長手方向断面図である。
【図３ａ】図３ａは、プランジャーロッドの斜視図である。
【図３ｂ】図３ｂは、図３ａの左手側から見たその側立面図である。
【図３ｃ】図３ｃは、その底面図である。
【図３ｄ】図３ｄは、その上面図である。
【図３ｅ】図３ｅは、図３ａの右手側から見た斜視図である。
【図４ａ】図４ａは、注射装置が組み立てられた状態の長手方向断面図である。
【図４ｂ】図４ｂは、アクティブ化の開始後の長手方向断面図の斜視図である。
【図４ｃ】図４ｃは、装置のアクティブ化を図示した破断図である。
【図４ｄ】図４ｄは、図４ａの線４ｄ−４ｄに沿った断面図である。
【図４ｅ】図４ｅは、図４ａの線４ｅ−４ｅに沿った断面図である。
【図５ａ】図５ａは、注射可能物質の注射を図示した断面図である。
【図５ｂ】図５ｂは、その破断斜視図である。
【図５ｃ】図５ｃは、図５ｂの線５ｃ−５ｃに沿った断面図である。
【図６ａ】図６ａは、注射するときの装置の斜視破断図である。
【図６ｂ】図６ｂは、注射に続く装置の運動を図示した長手方向断面図である。
【図６ｃ】図６ｃは、その斜視図である。
【図６ｄ】図６ｄは、図６ａの線６ｄ−６ｄに沿った断面図である。
【図７】図７は、注射の後の注射装置の運動を図示した断面図である。
【発明の詳細な説明】
【００１４】
図面をさらに詳細に参照し、それに対する記号を参照すると、参照番号１０によっておおまかに示される注射装置が図１に図示されている。注射装置１０は、外側の囲い１２を有し、これは、参照番号１４によっておおまかに示されるプランジャーロッド、参照番号１６によっておおまかに示されるバイアル、針ハブ１８、ばね２０、注射針２２、カバー２４、プッシャーロッド２６を備える残りのコンポーネントを囲う。
【００１５】
図２ｂ中に見られるように、ハウジング１２は、主な円柱側壁３０、下方側壁３２、および上方側壁部分３４から形成される。円柱側壁３０の内側には、第１の上方リブ３６と第２の上方リブ３８が設けられている。
【００１６】
対角リブ４０は、第２の上方リブ３８と第１の上方リブ３６の端の間に伸長する。
【００１７】
第１の下方リブ４２は、第２の下方リブ４４と平行である。第２の下方リブ４４の上端から外側に伸長するのは、水平リブ４６である。
【００１８】
下方側壁３２も、下方リブ４８とそこに平行である第２の下方リブ５０を有している。これは、その間にチャネルの形を定める。リブ４２とリブ４８との間に空間があることに留意すべきである。図２ｂ中に見られるように、内側壁には上方水平フランジ５２と下方水平フランジ５４も設けられている。
【００１９】
図２ａ中に見られるように、バイアル１６は、そこに形成される、耳または上方突起６８を有する円柱体６６を含む。各突起６８は、そこに位置付けられているいくらかＬ字型の部分７０を有している。バイアル１６は、本体６６から外側に伸長する下方突起７２も含んでいる。
【００２０】
図２ａ中に見られるように、針ハブ１８は、上方円柱体７４と下方円柱体７６を有している。上方円柱体７４から上方に伸長する上方伸張突起７８も設けられている。バイアル１６が針ハブ１８上に位置することに留意すべきである。
【００２１】
動作の際に、注射装置は、図２ａおよび４ａに図示するように組み立てられる。隆起部分６２は、リブ３６、３８、４２、４４間を進み、プランジャーロッドを下方に押すことができ、プッシャーロッド２６は、バイアル１６を通して伸張し、下方に位置付けられている薬剤を中空針２２に押すことに留意すべきである。これは、移動の間に達成されてもよく、針２２は、患者に挿入される。
【００２２】
このようにする際、上方突起６８は、凹状弓形壁５８に接触し、したがって、凹状壁の弓形の特性により、回転する。リブ４８と５０は、突起７８が回転することを回避する。Ｌ字型部分７０は、上方移動を回避するために、リブ４２の底と係合する。この回転は、上方突起６８をリブ４２と４４との間のチャネルと一致させるだろう。ばね２０の圧力は、その後、針ハブ１８とバイアル１６を、ハウジング１４を通して上方に伸長させるだろう。コンポーネントが上方に駆動されると、突起６８は、対角リブ４０と接触し、したがって、リブ３８と壁との間の空間に進むだろう。このようにする際、プランジャーロッド１４を押すさらなる試みは、水平リブ４６によって停止されるだろう。
【００２３】
上記で説明した実施形態は、例示目的のものに過ぎず、本発明の精神および範囲から逸脱することなく、これらに変更および修正がなされてもよいことを理解すべきである。
【図１】
2020524053.tif 000003
【図２ａ】
2020524053.tif 000004
【図２ｂ】
2020524053.tif 000005
【図３ａ】
2020524053.tif 000006
【図３ｂ】
2020524053.tif 000007
【図３ｃ】
2020524053.tif 000008
【図３ｄ】
2020524053.tif 000009
【図３ｅ】
2020524053.tif 000010
【図４ａ】
2020524053.tif 000011
【図４ｂ】
2020524053.tif 000012
【図４ｃ】
2020524053.tif 000013
【図４ｄ】
2020524053.tif 000014
【図４ｅ】
2020524053.tif 000015
【図５ａ】
2020524053.tif 000016
【図５ｂ】
2020524053.tif 000017
【図５ｃ】
2020524053.tif 000018
【図６ａ】
2020524053.tif 000019
【図６ｂ】
2020524053.tif 000020
【図６ｃ】
2020524053.tif 000021
【図６ｄ】
2020524053.tif 000022
【図７】
2020524053.tif 000023
【国際調査報告】
2020524053.tif 000024
2020524053.tif 000025
2020524053.tif 000026